(57)【要約】【課題】滑車の主体をなすプラスチック製プーリの回転を円滑にして、昇降操作ロープの操作を軽くすると共に、支持軸と摺接するプーリの内周部の摩耗を軽減し、プーリの使用寿命を延ばすことのできる伸縮梯子を提供する。【解決手段】下位梯子１と、下位梯子１に昇降自在に係合する上位梯子２と、両梯子１，２に亘って滑車を介して装架される昇降操作ロープ３とからなり、昇降操作ロープ３を操作することによって上位梯子２を下位梯子１に沿って伸縮昇降させるようにした伸縮梯子において、滑車は取付用ブラケット４に支持軸５によって軸支されたプラスチック製のプーリ６からなるもので、プーリ６と支持軸５との間にベアリング７が介装されている。【選択図】図２
2005350938.tif 000002
【特許請求の範囲】
【請求項１】
下位梯子と、下位梯子に昇降自在に係合する上位梯子と、両梯子に亘って滑車を介して装架される昇降操作ロープとからなり、昇降操作ロープを操作することによって上位梯子を下位梯子に沿って伸縮昇降させるようにした伸縮梯子において、
前記滑車は取付用ブラケットに支持軸によって軸支されたプラスチック製のプーリからなるもので、このプーリと支軸との間にベアリングが介装されていることを特徴とする伸縮梯子。
【発明の詳細な説明】
【技術分野】
【０００１】
本発明は、高所作業の昇降等に用いる伸縮梯子に関するもので、上位梯子が下位梯子に対して伸縮昇降する伸縮梯子に関する。
【背景技術】
【０００２】
この伸縮梯子は、例えば特許文献１に記載されてように、下位梯子と、この下位梯子に昇降自在に係合する上位梯子と、両梯子に亘って装架される昇降操作ロープとからなるもので、昇降操作ロープを操作することによって上位梯子を下位梯子に沿って伸縮昇降させるようになっており、昇降操作ロープは、例えば下位梯子の上端部と上位梯子の下端部とに夫々設けられた滑車間に掛架されている。そして、滑車は、添付図の図６に符号１０で示すように、金属製の取付用ブラケット４に取り付けた金属製支持軸５にプラスチック製のプーリー６を回転自在に嵌め込んでなるもので、取付用ブラケット４は梯子の側枠に取り付けられる。
【特許文献１】実公平７−４３１８号公報
【発明の開示】
【発明が解決しようとする課題】
【０００３】
特許文献１に記載されたような従来の伸縮梯子では、滑車の主体をなすプラスチック製のプーリ６が金属製の支持軸５に直接嵌め込んであるため、プラスチック材の摺動性が良いとは言え、支持軸５との摩擦によって円滑に回転し得ず、昇降操作ロープの操作がどうしても重くなり、また支持軸５と摺接するプーリ６のハブ内周面が摩耗し易く、その摩耗が進むと、プーリ６がガタツキを生じて回転に支障を来すと共に、プーリ６の使用寿命が短くなると言う難点があった。
【０００４】
本発明は、上記のような課題に鑑み、滑車の主体をなすプラスチック製プーリの回転を円滑にして、昇降操作ロープの操作を軽くすると共に、支持軸と摺接するプーリの内周部の摩耗を軽減し、プーリの使用寿命を延ばすことのできる伸縮梯子を提供することを目的とする。
【課題を解決するための手段】
【０００５】
上記課題を解決するための手段を、後述する実施形態の参照符号を付して説明すると、請求項１に係る発明は、下位梯子１と、下位梯子１に昇降自在に係合する上位梯子２と、両梯子１，２に亘って滑車を介して装架される昇降操作ロープ３とからなり、昇降操作ロープ３を操作することによって上位梯子２を下位梯子１に沿って伸縮昇降させるようにした伸縮梯子において、  前記滑車は取付用ブラケット４に支持軸５によって軸支されたプラスチック製のプーリ６からなるもので、このプーリ６と支持軸５との間にベアリング７が介装されていることを特徴としている。
【発明の効果】
【０００６】
上記解決手段による発明の効果を、後述する実施形態の参照符号を付して説明すると、
請求項１に係る発明によれば、滑車はプーリ６と支持軸５との間にベアリング７を介装しているから、プーリ６の回転が円滑となって、昇降操作ロープの操作が非常に軽くなり、特に上位梯子２の伸張操作を楽に行うことができる。またベアリング７を介装したことにより、支持軸５と摺接するプーリ６の内周部が殆ど摩耗しなくなり、プーリ６の使用寿命を延ばすことができる。
【発明を実施するための最良の形態】
【０００７】
先ず図１に示す伸縮梯子の全体構造から説明すると、この伸縮梯子は、下位梯子１と、この下位梯子１に昇降自在に係合する上位梯子２と、上下両梯子１，２に亘って滑車Ａ，Ｂを介して装架される昇降操作ロープ３とからなるもので、昇降操作ロープ３を操作することによって上位梯子２を下位梯子１に沿って伸縮昇降させるようになっている。そして下位梯子１の上端部には滑車Ａが設けられ、上位梯子２の下部側（下端よりも上方部位）には滑車Ｂが設けられている。
【０００８】
滑車Ａは、図２の(a) 及び(b) に示すように、例えばスチール製の取付用ブラケット４に例えばリベットからなる支持軸５によって軸支されたプラスチック製のプーリ６からなるもので、このプーリ６のハブ６ａと支持軸５との間にベアリング７が介装されている。この滑車Ａの取付用ブラケット４は、図２の(b) に示すように、下位梯子１の側枠１ａにリベット１２で取り付け固定されて、上位梯子２側に突出している。
【０００９】
滑車Ｂは、図３の(a) 及び(b) に示しているが、滑車Ａと同様な構造であって、例えばスチール製の取付用ブラケット４に例えばリベットからなる支持軸５によって軸支されたプラスチック製のプーリ６からなるもので、このプーリ６のハブ６ａと支持軸５との間にベアリング７が介装されている。この滑車Ｂの取付用ブラケット４は、図２の(b) に示すような上位梯子２の側枠２ａにリベット（図示せず）で取り付け固定される。
【００１０】
昇降操作ロープ３は、その一端部を下位梯子１側の滑車Ａのロックレバー（図示省略）に連結して、上位梯子２側の滑車Ｂのプーリ６から下位梯子１側の滑車Ａのプーリ６に順次巻回経由させ、このロープ３の他端部を滑車Ｂの取付用ブラケット４に止着している。従って、下位梯子１を接地させた状態で、昇降操作ロープ３の操作部分３ａを引張操作すると、上位梯子２は伸張上昇し、操作部分３ａの引張力を解放することによって、上位梯子２は収縮下降する。
【００１１】
しかして、この際、各滑車Ａ，Ｂはプーリ６のハブ６ａと支持軸５との間にベアリング７を介装しているから、プーリ６の回転が円滑となって、昇降操作ロープの操作が非常に軽くなり、特に上位梯子２の伸張操作を楽に行うことができる。また、ベアリング７を介装したことによって、支持軸５と摺接するプーリ６のハブ６ａの内周部は殆ど摩耗しなくなり、プーリ６の使用寿命を延ばすことができる。
【００１２】
図４の(a) 及び(b) は図１で示した伸縮梯子とは若干異なるタイプの伸縮梯子を示す。(a) の伸縮梯子では、下位梯子１とこれに沿って昇降する上位梯子２のうち、下位梯子１の上下端部には夫々上位梯子２側に突出する滑車Ｃ，Ｄが設けられ、上位梯子２の下部側所要部位には上下に一対の中間滑車Ｅ，Ｆが設けられている。各滑車Ｃ，Ｄ，Ｅ，Ｆは、図５に示すように、例えばスチール製の取付用ブラケット４に例えばリベットからなる支持軸５で軸支されたプラスチック製のプーリ６からなるもので、このプーリ６のハブ６ａと支持軸５との間にベアリング７が介装されている。
【００１３】
そして、昇降操作ロープ３は、その上端部を下位梯子１の上端側にある滑車Ｃのロックレバー（図示省略）に連結し、上位梯子２の上側中間滑車Ｅ、下位梯子１の上端側滑車Ｃ、下位梯子１の下端側滑車Ｄ、及び上位梯子２の下側中間滑車Ｆを順次巻回経由して、このロープ３の下端部を下位梯子１の下端側滑車Ｄの取付用ブラケット４に連結している。従って、図１の伸縮梯子と同じく、下位梯子１を接地させた状態で、昇降操作ロープ３の操作部分３ａを引張操作すると、上位梯子２は伸張上昇し、操作部分３ａの引張力を解放することによって、上位梯子２は収縮下降する。
【００１４】
図４の(b) に示す伸縮梯子においては、下位梯子１の上端部に滑車Ｇが上位梯子２側に突出するように設けられ、昇降操作ロープ３は、その一端部を上位梯子２の下端所要部位に止着した状態で滑車Ｇのプーリ６を巻回し、他端部側を垂下させている。この滑車Ｇも、図５に示すように、取付用ブラケット４に支持軸５によって軸支されたプラスチック製のプーリ６からなるもので、このプーリ６のハブ６ａと支持軸５との間にベアリング７が介装されている。従って、下位梯子１を接地させた状態で、昇降操作ロープ３の操作部分３ａを引張操作すれば、上位梯子２は伸張上昇し、操作部分３ａの引張力を解放することによって、上位梯子２は収縮下降することになる。
【００１５】
上記のように図４の(a) 及び(b) に示す伸縮梯子の各滑車Ｃ〜Ｇは、プーリ６と支持軸５との間にベアリング７を介装しているから、プーリ６の回転が円滑となって、昇降操作ロープの操作が非常に軽くなり、特に上位梯子２の伸張操作を楽に行うことができる。またベアリング７を介装したことにより、支持軸５と摺接するプーリ６のハブ６ａの内周部は殆ど摩耗せず、プーリ６の使用寿命を延ばすことができる。
【図面の簡単な説明】
【００１６】
【図１】本発明に係る伸縮梯子を示す側面図である。
【図２】(a) は図１に示す伸縮梯子の下位梯子の上端部に設けられた滑車の正面図、 (b)は同滑車の横断平面図である。
【図３】(a) は図１に示す伸縮梯子の上位梯子の下部側に設けられた滑車の正面図、 (b)は同滑車の縦断側面図である。
【図４】(a) 及び(b) 本発明に係る他の伸縮梯子を示す側面図である。
【図５】図４の(a) ，(b) に示す伸縮梯子に設けられた滑車の横断平面図である。
【図６】伸縮梯子に使用されている従来の滑車の横断平面図である。
【符号の説明】
【００１７】
１          下位梯子
２          上位梯子
Ａ〜Ｇ      本発明の滑車
３          昇降操作ロープ
４          取付用ブラケット
５          支持軸
６          プーリ
７          ベアリング
１０        従来の滑車
【図１】
2005350938.tif 000003
【図２】
2005350938.tif 000004
【図３】
2005350938.tif 000005
【図４】
2005350938.tif 000006
【図５】
2005350938.tif 000007
【図６】
2005350938.tif 000008